(57)【要約】【課題】乳幼児用の座席のガードバーに付着した汚れやばい菌などから乳幼児を保護する乳幼児用座席カバーおよび乳幼児用座席カバー兼用バッグを提供する。【解決手段】袋１１が、上部に開口１１ｂを有し、側部１１ｃに足穴２１を有している。袋１１は、乳幼児が開口１１ｂから内部に入って座り、各足穴２１から両足を出せる大きさに形成されている。カバーシート１２が、他端側１２ｂが各足穴２１より上側で袋１１に一体的に設けられている。カバーシート１２は、袋１１の内側で各足穴２１を被覆し、袋１１を座席の上に載せたとき、一端側１２ａを開口１１ｂから外側に伸ばしてガードバー４を被覆可能になっている。各ゴムテープ３１が、ガードバー４を被覆した状態でカバーシート１２を保持するよう、各保持用ボタン３２に固定可能になっている。【選択図】図１
2007326421.tif 000002
【特許請求の範囲】
【請求項１】
横方向に伸びて乳幼児の転落を防止するガードバーを備えた乳幼児用の座席に使用される乳幼児用座席カバーであって、
袋とカバーシートとを有し、
前記袋は上部に開口を有し、側部に足穴を有し、乳幼児が前記開口から内部に入って座り前記足穴から両足を出せる大きさであり、
前記カバーシートは前記袋を前記座席の上に載せたとき一端側を前記開口の側から外側に伸ばして前記ガードバーを被覆可能に他端側が前記足穴より上側で前記袋に一体的に設けられていることを、
特徴とする乳幼児用座席カバー。
【請求項２】
前記カバーシートは、前記袋を前記座席の上に載せて前記一端側を前記開口から外側に伸ばし前記ガードバーを被覆した状態で保持可能な取付部材を有し、前記袋の内側または外側で前記足穴を被覆することを、特徴とする請求項１記載の乳幼児用座席カバー。
【請求項３】
前記袋は前記カバーシートの他端側から前記足穴を越えた内面の位置に固定用孔を有し、
前記カバーシートは前記袋の内側で前記足穴を被覆した状態で前記固定用孔に挿入可能なカバー側固定部材を前記一端側に有し、
前記袋は前記固定用孔に挿入された前記カバー側固定部材と着脱可能な袋側固定部材を前記固定用孔の付近の外面に有することを、
特徴とする請求項１または２記載の乳幼児用座席カバー。
【請求項４】
前記袋は、前記カバーシートにより前記袋の内側で前記足穴を被覆して前記カバー側固定部材を前記固定用孔に挿入したとき、前記カバー側固定部材との間に前記開口を閉じた状態で挟んで前記カバー側固定部材と着脱可能な折畳用固定部材を外面に有することを、特徴とする請求項３記載の乳幼児用座席カバー。
【請求項５】
前記袋は底部にベビーカーの幼児固定ベルトを挿入可能な挿入孔を有することを、特徴とする請求項１、２、３または４記載の乳幼児用座席カバー。
【請求項６】
前記カバーシートは前記袋と別部材から成り、前記他端側が前記袋に着脱可能に取り付けられていることを、特徴とする請求項１、２、３、４または５記載の乳幼児用座席カバー。
【請求項７】
請求項１、２、３、４、５または６記載の乳幼児用座席カバーの前記袋に持ち手を設けて成ることを、特徴とする乳幼児用座席カバー兼用バッグ。
【発明の詳細な説明】
【技術分野】
【０００１】
本発明は、スーパーマーケットに置かれた乳幼児用座席付きのショッピングカートなどに使用される乳幼児用座席カバーおよび乳幼児用座席カバー兼用バッグに関する。
【背景技術】
【０００２】
一般的に、スーパーマーケットに置かれた乳幼児用座席付きのショッピングカートは、乳幼児用の座席に、横方向に伸びて乳幼児の転落を防止するガードバーを備えている（例えば、特許文献１または２参照）。
【０００３】
【特許文献１】特開平１０−２１１８８０号公報
【特許文献２】特開平９−３０４２１号公報
【発明の開示】
【発明が解決しようとする課題】
【０００４】
しかしながら、特許文献１または２記載のショッピングカートの乳幼児用の座席に、乳幼児を座らせたとき、乳幼児がガードバーを噛んだり舐めたりして不衛生であるという課題があった。また、ショッピングカートは、洗浄されることなく何度も繰り返し使用されるため、乳幼児が乳幼児用の座席に付着した汚れやばい菌などに触れて不衛生であるという課題もあった。
【０００５】
本発明は、このような課題に着目してなされたもので、乳幼児用の座席のガードバーに付着した汚れやばい菌などから乳幼児を保護することができる乳幼児用座席カバーおよび乳幼児用座席カバー兼用バッグを提供することを目的とする。
【課題を解決するための手段】
【０００６】
上記目的を達成するために、本発明に係る乳幼児用座席カバーは、横方向に伸びて乳幼児の転落を防止するガードバーを備えた乳幼児用の座席に使用される乳幼児用座席カバーであって、袋とカバーシートとを有し、前記袋は上部に開口を有し、側部に足穴を有し、乳幼児が前記開口から内部に入って座り前記足穴から両足を出せる大きさであり、前記カバーシートは前記袋を前記座席の上に載せたとき一端側を前記開口の側から外側に伸ばして前記ガードバーを被覆可能に他端側が前記足穴より上側で前記袋に一体的に設けられていることを、特徴とする。
【０００７】
本発明に係る乳幼児用座席カバーは、携帯し、乳幼児をスーパーマーケットその他の店舗用の乳幼児用座席付きのショッピングカートの乳幼児用の座席や、トイレ内に設置された乳幼児用の待機座席、ベビーカーの座席などの上に座らせる際に、その座席の上に載せて使用される。まず、上部の開口を開いて袋を乳幼児用の座席の上に載せる。このとき、ガードバーの下方から乳幼児が両足を出せるよう、側部の足穴の位置を調整して袋を載せる。袋を座席の上に載せた後、乳幼児を抱えて両足を開口から袋の内部に入れ、袋の内部に座らせ、足穴から両足を出させる。乳幼児を座らせたならば、カバーシートの一端側を開口から外側に伸ばして、カバーシートでガードバーを被覆する。
【０００８】
本発明に係る乳幼児用座席カバーは、カバーシートでガードバーを被覆することにより、乳幼児がガードバーを舐めたり噛んだり直接触れたりするのを防ぐことができる。これにより、ガードバーに付着したばい菌への感染や汚れが移るのを防ぎ、乳幼児用の座席を衛生的に安心して利用することができる。また、袋を臀部の下に敷いて乳幼児を乳幼児用の座席に座らせることができるため、乳幼児が座席に付着したばい菌に感染したり汚れが移ったりするのも防ぐことができる。乳幼児用座席カバーは、乳幼児を抱いたまま乳幼児用の座席の上に載せて、カバーシートを片手でガードバーにセットすることもできる。
【０００９】
本発明に係る乳幼児用座席カバーは、開口を挟んで１対の持ち手を袋に取り付けることが好ましい。これにより、収納用の手提げバッグとして使用することができる。
【００１０】
なお、本発明に係る乳幼児用座席カバーは、布、特にキルト地またはキャンバス地から成ることが好ましい。この場合、容易に洗濯することができ、衛生的である。柔軟性があるため、乳幼児用の座席の上に載せて使用しやすい。また、小さく折り畳むこともでき、携帯に便利である。キルト地またはキャンバス地の場合、形状を保ちやすい。本発明に係る乳幼児用座席カバーは、不織布などから成って、使い捨てにされてもよい。
また、足穴は、１つの穴から成ってもよいが、左右の両足を別々に入れるよう２つから成ることが好ましい。袋とカバーシートとは、１枚の布を裁断、縫製して一体的に設けられていても、袋に別体のカバーシートを縫製して一体的に設けられていてもよい。
【００１１】
本発明に係る乳幼児用座席カバーで、前記カバーシートは、前記袋を前記座席の上に載せて前記一端側を前記開口から外側に伸ばし前記ガードバーを被覆した状態で保持可能な取付部材を有し、前記袋の内側または外側で前記足穴を被覆することが好ましい。この場合、取付部材により、カバーシートをガードバーから外れにくくすることができる。このため、より安心して乳幼児を座らせることができる。取付部材は、カバーシートの外側面の一端側と他端側とにそれぞれ貼り付けられた１対の面ファスナーから成ることが好ましい。本発明に係る乳幼児用座席カバーは、カバーシートを袋の内部に入れ、カバーシートにより袋の内側から足穴を被覆すれば、足穴から落とすことなく、袋の内部に小物などを収納することができる。なお、カバーシートは足穴の全体を被覆することが好ましいが、一部のみを被覆していてもよい。
【００１２】
本発明に係る乳幼児用座席カバーで、前記袋は前記カバーシートの他端側から前記足穴を越えた内面の位置に固定用孔を有し、前記カバーシートは前記袋の内側で前記足穴を被覆した状態で前記固定用孔に挿入可能なカバー側固定部材を前記一端側に有し、前記袋は前記固定用孔に挿入された前記カバー側固定部材と着脱可能な袋側固定部材を前記固定用孔の付近の外面に有していてもよい。この場合、カバー側固定部材を固定用孔に挿入して袋の外面で袋側固定部材に固定することにより、カバーシートを袋の内側で足穴を被覆した状態に保つことができ、足穴から小物などが落ちるのを防ぐとともに、袋の内側を安定させることができる。
【００１３】
本発明に係る乳幼児用座席カバーで、前記袋は、前記カバーシートにより前記袋の内側で前記足穴を被覆して前記カバー側固定部材を前記固定用孔に挿入したとき、前記カバー側固定部材との間に前記開口を閉じた状態で挟んで前記カバー側固定部材と着脱可能な折畳用固定部材を外面に有していてもよい。この場合、折畳用固定部材をカバー側固定部材に固定することにより、開口を閉じて袋を小さく折り畳み、携帯を容易にすることができる。
カバー側固定部材と袋側固定部材とは、１対のスナップボタンまたは面ファスナーから成ることが好ましい。折畳用固定部材は、カバー側固定部材に合わせてスナップボタンまたは面ファスナーから成ることが好ましい。
【００１４】
本発明に係る乳幼児用座席カバーで、前記袋は底部にベビーカーの幼児固定ベルトを挿入可能な挿入孔を有していてもよい。この場合、ベビーカーの座席の上に載せた後、幼児固定ベルトを挿入孔から袋の内部に挿入して固定することができる。これにより、幼児固定ベルトの使用を妨げることなく、乳幼児をベビーカーに安全に乗せることができる。
【００１５】
本発明に係る乳幼児用座席カバーで、前記カバーシートは前記袋と別部材から成り、前記他端側が前記袋に着脱可能に取り付けられていてもよい。この場合、汚れやすいカバーシートだけを袋から取り外して洗濯し、清潔さを保つことができる。
【００１６】
本発明に係る乳幼児用座席カバー兼用バッグは、前述のいずれかの乳幼児用座席カバーの前記袋に持ち手を設けて成ることを、特徴とする。持ち手は、１対が袋の開口を挟む両側に設けられていることが好ましい。持ち手は、袋の上部に開口に沿って細長い孔を形成して成っていても、袋と別部材から成って袋に取り付けられていてもよい。また、持ち手は、肩に掛けられるようになっていてもよい。袋の開口は、ジッパーなどで開閉可能になっていてもよい。
【発明の効果】
【００１７】
本発明によれば、乳幼児用の座席のガードバーに付着した汚れやばい菌などから乳幼児を保護する乳幼児用座席カバーおよび乳幼児用座席カバー兼用バッグを提供することができる。
【発明を実施するための最良の形態】
【００１８】
以下、図面に基づき本発明の実施の形態について説明する。
図１乃至図４は、本発明の実施の形態の乳幼児用座席カバーまたは乳幼児用座席カバー兼用バッグを示している。
図１乃至図２に示すように、乳幼児用座席カバー（乳幼児用座席カバー兼用バッグ）１０は、袋１１とカバーシート１２とを有している。
【００１９】
なお、図３に示すように、乳幼児用座席カバー１０は、スーパーマーケットなどの乳幼児用座席付きのショッピングカート１に設置された乳幼児用の座席２の上に載せて使用可能である。乳幼児用の座席２は、サポートバー３とガードバー４とを有している。サポートバー３は、乳幼児がまたがってその左右から足を出すことができるよう縦方向に伸びている。ガードバー４は、横方向に伸びて乳幼児の転落を防止するようサポートバー３の上端に取り付けられている。なお、乳幼児用座席カバー１０は、ショッピングカート１の乳幼児用の座席２と同じ構造を有する、トイレ内の乳幼児用の座席やベビーカーの座席などにも使用可能である。
【００２０】
図１に示すように、袋１１は、キルト地の布から成り、底部１１ａが楕円形を成し、上部に開口１１ｂを有し、底部１１ａから開口１１ｂに向かって内径が徐々に大きくなるよう形成されている。袋１１は、底部１１ａを形成する楕円形の底布と、正面側の側部１１ｃを形成するほぼ台形の正面布と、背面側の側部１１ｄを形成するほぼ台形の背面布とを、袋１１の内側で互いに縫い合わせて形成されている。正面布および背面布は、同一形状で、平行でない１対の対辺がやや外側に膨らんだ円弧状に形成されている。袋１１は、底布の正面側の周縁に、正面布の短い方の底の側縁が縫い合わされ、底布の背面側の周縁に、背面布の短い方の底の側縁が縫い合わされている。また、正面布および背面布の互いに対向する１対の円弧状の辺の側縁同士が縫い合わされている。袋１１は、正面布および背面布の長い方の底に沿って、開口１１ｂが形成されている。
【００２１】
図１（ａ）に示すように、袋１１は、正面側の側部１１ｃに、底部１１ａの楕円の長軸方向に沿って並んだ１対の足穴２１を有している。各足穴２１は、楕円の上部が尖った滴状の形状を成している。しかしながら、各足穴２１は、楕円形、円形、その他の形状であってもよい。袋１１は、各足穴２１を縁取るよう、袋１１の内側と外側とにまたがった布が縫い付けられている。袋１１は、乳幼児が開口１１ｂから内部に入って座り、足穴２１から両足を出せる大きさに形成されている。また、袋１１は、開口１１ｂを開いて乳幼児用の座席２の上に載せたとき、乳幼児用の座席２の内側を覆うのに適度な大きさを成している。
【００２２】
図１（ｂ）に示すように、袋１１は、背面側の側部１１ｄの外面に収納用のポケット２２を有している。ポケット２２は、矩形の布の両側部と下部とを袋１１に縫い付けて形成されている。なお、ポケット２２は、なくてもよい。袋１１は、背面側の側部１１ｄのポケット２２の下に、スリット状の固定用孔２３を有している。また、図１（ｃ）に示すように、袋１１は、底部１１ａにベビーカーの幼児固定ベルトを挿入可能なスリット状の挿入孔２４を有している。固定用孔２３および挿入孔２４は、周囲を補強するようかがられている。袋１１は、固定用孔２３の上方の、ポケット２２の下部外面に、メス側スナップボタンから成る袋側固定部材２５を有している。図１（ａ）に示すように、袋１１は、正面側の側部１１ｃの外面の、各足穴２１の上端の中間付近に、メス側スナップボタンから成る折畳用固定部材２６を有している。袋１１は、開口１１ｂを挟んで正面側と側面側とに取り付けられた１対の持ち手２７を有している。このため、乳幼児用座席カバー１０は、トートバッグになり、乳幼児用座席カバー兼用バッグとして使用可能である。各持ち手２７は、細長い布から成り、円弧状を成すよう布の両端を袋１１の外面に縫い付けて形成されている。袋１１は、内面の両側部に、ガーゼなどの小物を収納可能なポケット（図示せず）を有している。
【００２３】
図２に示すように、カバーシート１２は、布製で、一端側１２ａを開口１１ｂから出し入れ可能に、袋１１の正面から背面の両端部にかけて、袋１１の開口１１ｂに沿った内縁に他端側１２ｂが縫い付けられている。これにより、カバーシート１２は、各足穴２１より上側の、袋１１の内面の固定用孔２３から各足穴２１を越えた位置に他端側１２ｂが縫い付けられ、袋１１に一体的に設けられている。カバーシート１２は、袋１１の内側で各足穴２１だけでなく正面側の側部１１ｃ全体を被覆する側面カバー部１２ｃを他端側１２ｂに有し、袋１１の内側で底部１１ａを覆う底カバー部１２ｄを一端側１２ａに有している。カバーシート１２は、側面カバー部１２ｃと底カバー部１２ｄとを一体的に有している。カバーシート１２は、側面カバー部１２ｃの横幅が底カバー部１２ｄの横幅より長く、側面カバー部１２ｃと底カバー部１２ｄとの境界付近の横幅が底カバー部１２ｄの横幅より短くなっている。カバーシート１２は、側面カバー部１２ｃから底カバー部１２ｄにかけての側縁が滑らかな曲線で形成され、側面カバー部１２ｃと底カバー部１２ｄとの境界付近がくびれた形状を成している。
【００２４】
図２（ｂ）に示すように、カバーシート１２は、背面１２ｅの他端側１２ｂに鉤状面ファスナー２８が縫い付けられている。また、カバーシート１２は、底カバー部１２ｄの背面１２ｅに、鉤状面ファスナー２８に着脱可能な１対のパイル状面ファスナー２９が縫い付けられている。カバーシート１２は、袋１１を乳幼児用の座席２の上に載せたとき、一端側１２ａを開口１１ｂから外側に伸ばしてガードバー４を被覆可能となっている。カバーシート１２は、ガードバー４を被覆した状態でパイル状面ファスナー２９を鉤状面ファスナー２８に取り付ければ、ガードバー４に固定することができる。カバーシート１２には、正面１２ｆの他端側１２ｂに沿って紐３０が縫い付けられている。紐３０は、数ヶ所で縫い付けられて、おしゃぶりなどを引っ掛けるためのループを形成している。
【００２５】
図２に示すように、カバーシート１２は、１対のゴムテープ３１と１対の保持用ボタン３２と１対の固定用ボタン３３とを有している。各ゴムテープ３１および各保持用ボタンは、取付部材を形成している。図２（ｂ）に示すように、各ゴムテープ３１は、カバーシート１２の背面１２ｅの他端側１２ｂに、一端が縫い付けられている。各ゴムテープ３１は、互いに底カバー部１２ｄの横幅より広い間隔をあけて、一端側１２ａの方向に伸長可能に取り付けられている。各ゴムテープ３１は、幅方向の中心に、長さ方向に沿って並ぶよう設けられた複数のボタン穴３１ａを有している。
【００２６】
図２（ａ）に示すように、１対の保持用ボタン３２は、カバーシート１２の正面１２ｆの各ゴムテープ３１に対応する位置に縫い付けられている。図２（ｂ）に示すように、各固定用ボタン３３は、カバーシート１２の背面１２ｅの、各保持用ボタン３２の取付位置の反対側に縫い付けられている。図３に示すように、カバーシート１２は、ガードバー４を被覆するとき、各ゴムテープ３１をカバーシート１２の上でガードバー４の下方から正面側に回し、ボタン穴３１ａに各保持用ボタン３２を入れて留めるようになっている。こうして、カバーシート１２は、各ゴムテープ３１および各保持用ボタン３２により、袋１１を座席２の上に載せて一端側１２ａを開口１１ｂから外側に伸ばし、ガードバー４を被覆した状態で保持可能になっている。なお、図２（ｂ）に示すように、カバーシート１２は、ガードバー４を被覆しないときには、各ゴムテープ３１を各固定用ボタン３３で留めるようになっている。
【００２７】
図２に示すように、カバーシート１２は、帯状のカバー側固定部材３４を有している。カバー側固定部材３４は、布製で、カバーシート１２の一端側１２ａに、一端が縫い付けられている。カバー側固定部材３４は、一端側１２ａから突出するよう設けられている。図２（ｂ）に示すように、カバー側固定部材３４は、背面に、袋側固定部材２５および折畳用固定部材２６と着脱可能な、オス側スナップボタン３５を有している。図１（ｂ）に示すように、カバーシート１２は、袋１１の内側で各足穴２１を被覆した状態で、カバー側固定部材３４を固定用孔２３に挿入し、袋１１の外面でオス側スナップボタン３５を袋側固定部材２５に固定可能になっている。また、カバーシート１２でガードバー４を巻いてオス側スナップボタン３５を折畳用固定部材２６に固定することにより、カバーシート１２をガードバー４から外れないように保つことができる。
【００２８】
次に、作用について説明する。
図３に示すように、乳幼児用座席カバー１０は、バッグとして携帯し、乳幼児をスーパーマーケットその他の店舗用のショッピングカート１の乳幼児用の座席２や、トイレ内に設置された乳幼児用の待機座席、ベビーカーの座席などの上に座らせる際に、その座席の上に載せて使用される。まず、乳幼児が開口１１ｂから内部に入って座れるように、上部の開口１１ｂを開いて袋１１を乳幼児用の座席２の上に載せる。このとき、ガードバー４の下方から乳幼児が両足を出して股の間にサポートバー３が位置付けられるように、側部の各足穴２１の位置を調整して袋１１を載せる。袋１１を座席２の上に載せた後、乳幼児を抱えて両足を開口１１ｂから袋１１の内部に入れ、袋１１の内部に座らせ、各足穴２１から両足を出させる。
【００２９】
乳幼児を座らせたならば、カバーシート１２の一端側１２ａを開口１１ｂから外側に伸ばし、カバーシート１２でガードバー４を被覆する。各ゴムテープ３１をカバーシート１２の上でガードバー４の下方から正面側に回し、ボタン穴３１ａに各保持用ボタン３２を入れて留め、ガードバー４を被覆する位置にカバーシート１２を保持する。さらに、カバー側固定部材３４のオス側スナップボタン３５を折畳用固定部材２６に固定してもよい。このように、カバーシート１２でガードバー４を被覆することにより、乳幼児がガードバー４を舐めたり噛んだり直接触れたりするのを防ぐことができる。これにより、ガードバー４に付着したばい菌への感染や汚れが移るのを防ぎ、乳幼児用の座席を衛生的に安心して利用することができる。また、袋１１を臀部の下に敷いて乳幼児を乳幼児用の座席２に座らせることができるため、乳幼児が座席に付着したばい菌に感染したり汚れが移ったりするのも防ぐことができる。
【００３０】
さらに、各ゴムテープ３１および各保持用ボタン３２によりカバーシート１２を保持しているため、カバーシート１２をガードバー４から外れにくくすることができ、乳幼児がガードバー４からカバーシート１２を外すのを防ぐことができる。このように、乳幼児用の座席２のガードバー４に付着した汚れやばい菌などから乳幼児を保護することができるので、安心して乳幼児を座らせることができる。
乳幼児を座席２に袋１１の内部で座らせたとき、ポケット２２の中のおもちゃや紐３０に取り付けられたおしゃぶりなどで遊ばせることにより、移動中又は付き添い保護者の買い物中に乳幼児を飽きさせないようにすることができる。
【００３１】
カバーシート１２は、各足穴２１より上側で袋１１に一体的に設けられているため、開口１１ｂから出し入れしやすい。このため、乳幼児用座席カバー１０は、乳幼児を抱いたまま乳幼児用の座席２の上に載せて、カバーシート１２を片手でガードバー４にセットすることもできる。乳幼児用の座席２の上に載せて使用しないとき、カバーシート１２が袋１１の内側で各足穴２１を被覆するよう、カバーシート１２を袋１１の内部に入れ、カバー側固定部材３４を固定用孔２３に挿入し、袋１１の外面でオス側スナップボタン３５を袋側固定部材２５に固定する。これにより、各足穴２１から落とすことなく、袋１１の内部に小物などを収納することができる。また、カバーシート１２を袋１１の内側で各足穴２１を被覆した状態に保つことができ、袋の内側を安定させて小物などを袋１１の内部に収納することができる。
【００３２】
袋１１やカバーシート１２が布製であるため、容易に洗濯することができ、衛生的である。柔軟性があるため、乳幼児用の座席２の上に載せて使用しやすい。底部１１ａが楕円形を成しているため、矩形状の場合に比べて、乳幼児用の座席２のサイズの違いにも対応しやすい。また、袋１１の外面に袋側固定部材２５を有しているため、乳幼児が袋１１を敷いて座席２に座ったとき、袋側固定部材２５に臀部が当たらず、肌を傷付ける心配がない。
【００３３】
なお、サポートバーを有していないベビーカーに使用する場合、乳幼児用の座席の上に載せた後、ベビーカーの幼児固定ベルトを挿入孔２４から袋１１の内部に挿入して使用することができる。このため、ベビーカーの安全性を損なうことなく、ベビーカーで使用することができる。ベビーカーは屋外で使用されることが多いため、衛生的であるとともに、防寒効果や防塵効果も期待できる。また、座るのに使用しないときには、乳幼児のおもちゃなどを収納することもできる。
【００３４】
図４に示すように、乳幼児用座席カバー１０は、以下のようにして小さく折り畳むことができる。まず、カバーシート１２により袋１１の内側で各足穴２１を被覆し、カバー側固定部材３４を固定用孔２３に挿入する。袋１１の膨らみを潰して開口１１ｂを閉じ、袋１１の両脇を背面側に折り畳み、袋１１の背面側で底部１１ａを開口１１ｂの側に折り畳む。開口１１ｂを挟むようにして、折畳用固定部材２６をカバー側固定部材３４のオス側スナップボタン３５に固定する。こうして、袋１１を小さく折り畳んだ状態に保持することができ、携帯が容易である。
【００３５】
乳幼児用座席カバー１０は、袋１１に持ち手２７が取り付けられているため、収納用の手提げバッグとして使用することができる。このため、例えば、袋１１にオムツやオムツ替えシートなどを収納し、ガーゼなどの小物をポケット２２などに入れ、おしゃぶりなどを紐３０で形成されたループに引っ掛けて持ち歩くことができる。また、通常持ち歩く荷物を入れたインナーバッグを袋１１に収納することにより、手荷物を一つにまとめることもできる。袋１１の模様や色を様々に変えることにより、男女を問わず使用することができる。カバー側固定部材３４や袋側固定部材２５、各ゴムテープ３１などを常に使用する必要はないため、乳幼児の発達段階に応じて取付方法を変えることができる。各ゴムテープ３１が複数のボタン穴３１ａを有しているため、ガードバー４の太さに応じて、各保持用ボタン３２を留めるのに適切なボタン穴３１ａを選択することができる。各ゴムテープ３１を伸ばしたり縮めたりして各保持用ボタン３２で留めることにより、カバーシート１２の保持状態を調整することができる。
【００３６】
なお、乳幼児用座席カバー１０で、カバーシート１２は、ファスナーなどにより、他端側１２ｂが袋１１に着脱可能に取り付けられていてもよい。この場合、汚れやすいカバーシート１２だけを、袋１１から取り外して洗うことができ、より衛生的である。
【００３７】
また、図５に示すように、カバーシート１２は、他端側１２ｂが袋１１の開口１１ｂに沿った内縁に縫い付けられる代わりに、袋１１の側部１１ｃの開口１１ｂに沿った外縁に縫い付けられていてもよい。この場合、ファスナー３６が、カバーシート１２の他端側１２ｂを除く縁部と、袋１１の側部１１ｃの、開口１１ｂに沿った外縁を除く縁部とにそれらを着脱可能に設けられている。このように、カバーシート１２により、袋１１の外側で各足穴２１を被覆するようにしてもよい。
【００３８】
図６および図７は、本発明の他の実施の形態の乳幼児用座席カバーまたは乳幼児用座席カバー兼用バッグを示している。
図６に示すように、この乳幼児用座席カバー（乳幼児用座席カバー兼用バッグ）４０は、袋４１とカバーシート４２とを有している。袋４１は、布製で上部に開口４０ａを有し、正面側の側部に１対の足穴５１を有している。袋４１は、乳幼児が開口４０ａから内部に入って座り、足穴５１から両足を出せる大きさに形成されている。袋４１は、開口４０ａを開いて乳幼児用の座席２の上に載せたとき、乳幼児用の座席２の内側を覆うのに適度な大きさとなっている。袋４１には、開口４０ａを挟んで１対の持ち手４３が縫い付けられている。これにより、乳幼児用座席カバー４０は、トートバッグとして使用することができる。
【００３９】
カバーシート４２は、細長い布製で、袋４１の正面側から背面側にかけて開口４０ａに沿った内縁に片側の縁部が縫い付けられて、袋４１と一体になっている。カバーシート４２の袋４１への取付位置は、足穴５１より上側である。図６に示すように、カバーシート４２は、袋４１を座席２の上に載せたとき、一端側４２ａを開口４０ａの側から外側に伸ばしてショッピングカート１のガードバー４を被覆可能となっている。
【００４０】
図７（Ａ）、（Ｂ）に示すように、カバーシート４２は、袋４１の外面に連続する面に、複数対（図では５対）の面ファスナー４４ａ，４４ｂが貼り付けられている。面ファスナー４４ａがバイル状面ファスナーで、面ファスナー４４ｂが鉤状面ファスナーであるが、その逆であってもよい。カバーシート４２は、その長さ方向にショッピングカート１のガードバー４を沿わせてガードバー４の周囲に巻き付け、各面ファスナー４４ａ，４４ｂでガードバー４に固定可能となっている。
この乳幼児用座席カバー４０は、製造容易であり、製造コストを下げることができる。
【００４１】
図６および図７に示す乳幼児用座席カバー（乳幼児用座席カバー兼用バッグ）４０は、袋４１に持ち手４３を縫い付ける代わりに、図８に示すように、袋４１の上部に開口４０ａに沿って細長い孔４５を形成することにより、持ち手４１ａが設けられてもよい。この場合、乳幼児用座席カバー４０は、内部に他のバッグを収容し、細長い孔４５からそのバッグの持ち手５２を外側に出して使用することができる。
【図面の簡単な説明】
【００４２】
【図１】本発明の実施の形態の乳幼児用座席カバーを示す（ａ）正面図、（ｂ）背面図、（ｃ）底面図である。
【図２】図１に示す乳幼児用座席カバーのカバーシートを示す（ａ）正面図、（ｂ）背面図である。
【図３】図１に示す乳幼児用座席カバーの使用状態を示す斜視図である。
【図４】図１に示す乳幼児用座席カバーの折り畳んだ状態を示す正面図である。
【図５】図１に示す乳幼児用座席カバーのカバーシートの変形例を示す正面図である。
【図６】図１に示す乳幼児用座席カバーの変形例を示す正面図である。
【図７】図６に示す乳幼児用座席カバーの袋からカバーシートを出した状態を示す（Ａ）正面図、（Ｂ）背面図である。
【図８】図１に示す乳幼児用座席カバーの他の変形例を示す正面図である。
【符号の説明】
【００４３】
１    ショッピングカート
２    座席
３    サポートバー
４    ガードバー
１０  乳幼児用座席カバー
１１  袋
１２  カバーシート
２１  足穴
２３  固定用孔
２４  挿入孔
２５  袋側固定部材
２６  折畳用固定部材
２７  持ち手
３１  ゴムテープ
３２  保持用ボタン
３３  固定用ボタン
３４  カバー側固定部材
３５  オス側スナップボタン
【図１】
2007326421.tif 000003
【図２】
2007326421.tif 000004
【図３】
2007326421.tif 000005
【図４】
2007326421.tif 000006
【図５】
2007326421.tif 000007
【図６】
2007326421.tif 000008
【図７】
2007326421.tif 000009
【図８】
2007326421.tif 000010
【手続補正書】
【提出日】平成19年7月9日(2007.7.9)
【手続補正１】
【補正対象書類名】特許請求の範囲
【補正対象項目名】請求項２
【補正方法】変更
【補正の内容】
【請求項２】
前記カバーシートは、前記袋を前記座席の上に載せて前記一端側を前記開口から外側に伸ばし前記ガードバーを被覆した状態で保持可能な取付部材を有し、前記袋の内側または外側で前記足穴を被覆可能であることを、特徴とする請求項１記載の乳幼児用座席カバー。
【手続補正２】
【補正対象書類名】明細書
【補正対象項目名】００１１
【補正方法】変更
【補正の内容】
【００１１】
本発明に係る乳幼児用座席カバーで、前記カバーシートは、前記袋を前記座席の上に載せて前記一端側を前記開口から外側に伸ばし前記ガードバーを被覆した状態で保持可能な取付部材を有し、前記袋の内側または外側で前記足穴を被覆可能であることが好ましい。この場合、取付部材により、カバーシートをガードバーから外れにくくすることができる。このため、より安心して乳幼児を座らせることができる。取付部材は、カバーシートの外側面の一端側と他端側とにそれぞれ貼り付けられた１対の面ファスナーから成ることが好ましい。本発明に係る乳幼児用座席カバーは、カバーシートを袋の内部に入れ、カバーシートにより袋の内側から足穴を被覆すれば、足穴から落とすことなく、袋の内部に小物などを収納することができる。なお、カバーシートは足穴の全体を被覆することが好ましいが、一部のみを被覆していてもよい。